(57)【特許請求の範囲】
【請求項１】
親機と、この親機と無線で接続された子機とからなるコードレス電話機において、前記親機の文字入力設定手段によって文字入力が可能に設定されると前記親機の第１の送受手段を介して前記子機の第２の送受信手段に前記設定が通知されて前記子機も文字入力が可能となり、次に、前記親機の予め定められた順の予め定められた英語のアルファベット及びかな文字を含む文字群の入力が可能な第１の文字入力手段又は、及び前記第１の文字入力手段で前記予め定められた文字群の残された文字の入力が可能な前記子機の第２の文字入力手段からの文字入力によって、前記第１の文字入力手段で入力された文字に対しては前記親機の第１のコード生成手段で予め定められた第１のコードを生成し、前記第２の文字入力手段で入力された文字に対しては前記子機の第２のコード生成手段で予め定められた第２のコードを生成して前記第２の送受信手段で前記親機へ送信し、前記親機は前記第１のコード及び前記子機から受信した第２のコードからかな文字変換手段によってかな文字に変換し、この変換されたかな文字を表示手段によって表示することを特徴とするコードレス電話機のかな文字入力方法。
【請求項２】
親機と、この親機と無線で接続される子機とからなるコードレス電話機において、前記親機は文字入力の設定を行う文字入力設定手段と、前記子機の少なくともダイヤルボタンの数だけ除いた数のアルファベットのＡからの文字を入力できるように前記親機のダイヤルボタンと複数のボタンに割り付けされた第１の文字入力手段と、この第１の文字入力手段から入力されたアルファベット文字及び数字に対する予め定められたコードを生成する第１のコード生成手段と、この第１のコード生成手段からの第１のコード及び前記子機から受信した第２のコードを解析してアルファベット文字及び数字を確定し、その確定文字及び数字からローマ字及び数字を生成したのちかな文字及び数字に変換するローマ字・数字変換手段と、前記変換されたかな文字及び数字を表示する表示手段と、前記子機との無線信号の送受信を行う第１の送受信手段とを有することを特徴とするコードレス電話機。
【請求項３】
前記子機は、前記親機の第１の入力手段で入力可能なアルファベットの最後の文字に続くアルファベットの文字からＺまでの文字及びダイヤルの数字を入力できるように各ダイヤルボタンに割り付けられた第２の文字入力手段と、前記文字入力設定手段が文字入力が可能に設定されたことを第２の送受信手段で受信すると、前記第２の文字入力手段から入力されたアルファベットの文字及び数字に対する予め定められたコードを生成する第２のコード生成手段と、この第２のコード信号生成手段で生成されたコードの無線信号の発信及び前記親機との無線信号の送受信を行う前記第２の送受信手段とを有することを特徴とする請求項２記載のコードレス電話機。
【請求項４】
親機と、この親機と無線で接続された子機とからなるコードレス電話機において、前記親機の文字入力設定手段によって文字入力が可能に設定されると前記親機の第１の送受信手段を介して前記子機の第２の送受信手段に前記設定が通知されて前記子機も文字入力が可能となり、次に、前記親機のアルファベット順の予め定められたアルファベット文字入力が可能な第１の文字入力手段又は、及び前記第１の文字入力手段の入力可能文字以外のアルファベット文字の入力が可能な前記子機の第２の文字入力手段からの文字入力によって、前記第１の文字入力手段で入力された文字に対しては前記親機の第１のコード生成手段で予め定められた第１のコードを生成し、前記第２の文字入力手段で入力された文字に対しては前記子機の第２のコード生成手段で予め定められた第２のコードを生成して前記第２の送受信手段で前記親機の送信し、前記親機は前記第１のコード及び前記子機から受信した第２のコードからローマ字変換手段によって一旦ローマ字に変換した後にかな文字に変換し、この変換されたかな文字を表示手段によって表示することを特徴とするコードレス電話機のかな文字入力方法。
【請求項５】
親機と、この親機と無線で接続される子機とからなるコードレス電話機において、前記親機は文字入力の設定を行う文字入力設定手段と、前記子機の少なくともダイヤルボタンの数及び予め定められた複数のボタンの数だけ除いた数のかな文字の「あ」からの文字を入力できるように前記親機のダイヤルボタンと複数のボタンに割り付された第１の文字入力手段と、この第１の文字入力手段から入力されたかな文字及び数字に対する予め定められたコードを生成する第１のコード生成手段と、この第１のコード生成手段からの第１のコード及び前記子機から受信した第２のコードを解析してかな文字及び数字に変換するかな文字・数字変換手段と、前記変換されたかな文字及び数字を表示する表示手段と、前記子機との無線信号の送受信を行う第１の送受信手段とを有することを特徴とするコードレス電話機。
【請求項６】
前記子機は、前記親機の第１の入力手段で入力可能なかな文字の最後の文字に続くかな文字から「ん」までの文字及びダイヤルの数字を入力できるように各ダイヤルボタン及び前記予め定められた複数のボタンに割り付けられた第２の文字入力手段と、前記文字入力設定手段が文字入力が可能に設定されたことを第２の送受信手段で受信すると、前記第２の文字入力手段から入力されたかな文字及び数字に対す予め定められた第２のコードを生成する第２のコード生成手段と、この第２のコード信号生成手段で生成された前記第２のコードの無線信号の発信及び前記親機との無線信号の送受信を行う前記第２の送受信手段とを有することを特徴とする請求項５記載のコードレス電話機。
【請求項７】
親機と、この親機と無線で接続された子機とからなるコードレス電話機において、前記親機の文字入力設定手段によって文字入力が可能に設定されると前記親機の第１の送受信手段を介して前記子機の第２の送受信手段に前記設定が通知されて前記子機も文字入力が可能となり、次に前記親機のあいうえお順の予め定められたかな文字入力が可能な第１の文字入力手段又は、及び前記第１の文字入力手段の入力可能文字以外のかな文字の入力が可能な前記子機の第２の文字入力手段からの文字入力によって、前記第１の文字入力手段で入力された文字に対しては前記親機の第１のコード生成手段で予め定められた第１のコードを生成し、前記第２の文字入力手段で入力された文字に対しては前記子機の第２のコード生成手段で予め定められて第２のコードを生成して前記第２の送受信手段で前記親機へ送信し、前記親機は前記第１のコード及び前記子機から受信した第２のコードからかな文字変換手段によってかな文字に変換し、この変換されたかな文字を表示手段によって表示することを特徴とするコードレス電話機のかな文字入力方法。
【発明の詳細な説明】
【０００１】
【発明の属する技術分野】
本発明はコードレス電話機とそのかな文字入力方法に関し、特に親機及び子機を用いての文字入力が可能なコードレス電話機とそのかな文字入力方法に関する。
【０００２】
【従来の技術】
従来の電話機及び携帯電話機の文字入力の方法の技術は多くは開示されており、その開示例としては、例えば、表示部に「あ」のキーを１回押下する毎に、「あ」→「い」→「う」・・・と表示され、たとえば「お」を入力するためには、「あ」のキーを５回押下する必要があり、また、「おお」というように、同じあ行の文字が連続している場合、一度「お」を入力後、カーソルキーにてカーソルを右に移し、その後、再度「お」を入力する必要があり、その結果キー押下の回数が１１回にもなる。
【０００３】
この問題点を解決する技術として、アルファベット文字群、カタカナ文字群等を指定するキーを有し、例えば、カタカナ文字群を指定するキーを押下した後、「た、ち、つ、て、と」が表示器に表示されている場合で「と」を指定したい場合にはテンキーから「５」を入力する。この指定した文字を漢字変換したい場合には、漢字群指定のキーを押下することにより、該文字「と」に対応する漢字群（例えば、「と」を最初の読みとする漢字群）が所定数ずつ表示器に表示される。この状態から、テンキーを用いて、表示器に表示されている漢字群の先頭からの番号を入力して、所望の漢字を選択する。例えば、指定したい漢字が「東」であり、該漢字「東」が先頭から６番目に表示されている場合には、テンキーから「６」を入力する。
【０００４】
このようにキー入力を少なくした技術が特開平４−１２９３６０号公報に開示されている。
【０００５】
また、他のキー入力回数を少なくした技術として、「あ」行から「わ」行までの文字を「０」から「９」に対応させ、任意の行の任意の文字を入力する際に、「０」から「９」の中から特定の数字キーを押下し、特定の数字キーを押下している間、表示エリアに例えば「あ」行が選択された場合に、「あ」→「い」→「う」→「え」→「お」→「あ」・・・と順次表示し、押下されているキーを離した瞬間に表示されている文字、たとえば表示が「あ」→「い」→「う」と表示された瞬間に離すと「う」という文字が確定する技術が開示されている（特願２０００−１２４７０７）。
【０００６】
次に、従来のコードレス電話機における文字入力の従来例について図面を参照して説明する。
【０００７】
図９は、従来のコードレス電話機の一例を示し、（Ａ）はその親機、（Ｂ）はその子機、図１０は図９に示すコードレス電話機の子機のＲＯＭに仮名文字の記憶状態を示す図、図１１は図９に示すコードレス電話機の子機におけるキー配置の状態を示す正面図である。
【０００８】
この従来例のコードレス電話機は、特開２０００−５９４８４公報の開示内容を示し、子機１５０のキー群１７０を用いて電話帳登録情報の検索を行う場合に、シフトキー１７１とシャトルキー１７３の操作状態に応じて、仮名文字を母音方向又は子音方向に昇り順又は降り順に検索して所望の仮名文字がＬＣＤ１５５に表示された状態でシャトルキー１７３を中立状態にする。そして、この状態でシャトルキー１７３を１回だけ押し込むと、現在ＬＣＤ５５に表示されている仮名文字が、この後で電話帳登録情報の検索を行う際の検索開始時の頭文字として登録される。例えば、「ト」という仮名文字がＬＣＤ１５５に表示された状態でシャトルキー１７３を中立状態にして１回だけ押し込み操作を実行すると、その後シャトルキー１７３を上下に揺動させることによって電話帳登録情報を検索する場合の検索開始時の頭文字として「ト」が確定されるのである。この結果、例えば、「トッキョ  イチロウ」という宛名で登録されている電話番号を検索して読み出す様な場合に、アイウエオ順に昇り順又は降り順に電話帳登録情報を検索する場合に比べて極めて迅速に目的の電話番号を検索することができる。
【０００９】
また、同様にして所望の仮名文字がＬＣＤ１５５に表示された状態でシャトルキー１７３を中立状態にし、この状態でシャトルキー１７３を２回押し込むと、現在ＬＣＤ１５５に表示されている仮名文字が、電話帳登録等の際の入力文字として確定される。従って、上述した処理を繰り返すことで、例えば、「トッキョタロウ」といった電話帳登録に際しての宛名の入力を、シフトキー１７１とシャトルキー１７３の片手操作で実行することができる。
【００１０】
【発明が解決しようとする課題】
以上に示したように従来の電話機およびコードレス電話機おけるかな文字入力は、主としてダイヤル用の数字ボタンのみを利用して文字入力を行っているので、数字ボタンの押下回数が多く、また、操作手順が複雑であるという問題点がある。
【００１１】
（発明の目的）
本発明の目的は、文字入力の際に、親機の操作ボタンだけではなく、コードレス子機のボタンも同時に使用できるようにし、親機で文字入力操作するときに、コードレス子機を親機のところまで持っていき、文字入力開始時に子機と無線接続し、子機で押下されたボタンを無線で親機に通知し、あたかも親機でボタンが押下されたように扱うようにすることで、親機操作部のボタンを増やすことなく子機のダイヤルボタンを利用して、あたかも親機のボタンの数を増やしたごとくにして文字入力の操作を少なくすることができるコードレス電話機及びそのかな文字入力方法を提供することにある。
【００１２】
【課題を解決するための手段】
本発明のコードレス電話機のかな文字入力方法は、親機と、この親機と無線で接続された子機とからなるコードレス電話機において、前記親機の文字入力設定手段によって文字入力が可能に設定されると前記親機の第１の送受手段を介して前記子機の第２の送受信手段に前記設定が通知されて前記子機も文字入力が可能となり、次に、前記親機の予め定められた順の予め定められた英語のアルファベット及びかな文字を含む文字群の入力が可能な第１の文字入力手段又は、及び前記第１の文字入力手段で前記予め定められた文字群の残された文字の入力が可能な前記子機の第２の文字入力手段からの文字入力によって、前記第１の文字入力手段で入力された文字に対しては前記親機の第１のコード生成手段で予め定められた第１のコードを生成し、前記第２の文字入力手段で入力された文字に対しては前記子機の第２のコード生成手段で予め定められた第２のコードを生成して前記第２の送受信手段で前記親機へ送信し、前記親機は前記第１のコード及び前記子機から受信した第２のコードからかな文字変換手段によってかな文字に変換し、この変換されたかな文字を表示手段によって表示する。
【００１３】
本発明のコードレス電話機は、親機と、この親機と無線で接続される子機とからなるコードレス電話機において、前記親機は文字入力の設定を行う文字入力設定手段と、前記子機の少なくともダイヤルボタンの数だけ除いた数のアルファベットのＡからの文字を入力できるように前記親機のダイヤルボタンと複数のボタンに割り付けされた第１の文字入力手段と、この第１の文字入力手段から入力されたアルファベット文字及び数字に対する予め定められたコードを生成する第１のコード生成手段と、この第１のコード生成手段からの第１のコード及び前記子機から受信した第２のコードを解析してアルファベット文字及び数字を確定し、その確定文字及び数字からローマ字及び数字を生成したのちかな文字及び数字に変換するローマ字・数字変換手段と、前記変換されたかな文字及び数字を表示する表示手段と、前記子機との無線信号の送受信を行う第１の送受信手段とを有し、前記子機は、前記親機の第１の入力手段で入力可能なアルファベットの最後の文字に続くアルファベットの文字からＺまでの文字及びダイヤルの数字を入力できるように各ダイヤルボタンに割り付けられた第２の文字入力手段と、前記文字入力設定手段が文字入力が可能に設定されたことを第２の送受信手段で受信すると、前記第２の文字入力手段から入力されたアルファベットの文字及び数字に対する予め定められたコードを生成する第２のコード生成手段と、この第２のコード信号生成手段で生成されたコードの無線信号の発信及び前記親機との無線信号の送受信を行う前記第２の送受信手段とを有している。
【００１４】
本発明のコードレス電話機のかな文字入力方法は、親機と、この親機と無線で接続された子機とからなるコードレス電話機において、前記親機の文字入力設定手段によって文字入力が可能に設定されると前記親機の第１の送受信手段を介して前記子機の第２の送受信手段に前記設定が通知されて前記子機も文字入力が可能となり、次に、前記親機のアルファベット順の予め定められたアルファベット文字入力が可能な第１の文字入力手段又は、及び前記第１の文字入力手段の入力可能文字以外のアルファベット文字の入力が可能な前記子機の第２の文字入力手段からの文字入力によって、前記第１の文字入力手段で入力された文字に対しては前記親機の第１のコード生成手段で予め定められた第１のコードを生成し、前記第２の文字入力手段で入力された文字に対しては前記子機の第２のコード生成手段で予め定められた第２のコードを生成して前記第２の送受信手段で前記親機の送信し、前記親機は前記第１のコード及び前記子機から受信した第２のコードからローマ変換手段によって一旦ローマ字に変換した後にかな文字に変換し、この変換されたかな文字を表示手段によって表示する。
【００１５】
本発明のコードレス電話機は、親機と、この親機と無線で接続される子機とからなるコードレス電話機において、前記親機は文字入力の設定を行う文字入力設定手段と、前記子機の少なくともダイヤルボタンの数及び予め定められた複数のボタンの数だけ除いた数のかな文字の「あ」からの文字を入力できるように前記親機のダイヤルボタンと複数のボタンに割り付された第１の文字入力手段と、この第１の文字入力手段から入力されたかな文字及び数字に対する予め定められたコードを生成する第１のコード生成手段と、この第１のコード生成手段からの第１のコード及び前記子機から受信した第２のコードを解析してかな文字及び数字に変換するかな文字・数字変換手段と、前記変換されたかな文字及び数字を表示する表示手段と、前記子機との無線信号の送受信を行う第１の送受信手段とを有し、前記子機は、前記親機の第１の入力手段で入力可能なかな文字の最後の文字に続くかな文字から「ん」までの文字及びダイヤルの数字を入力できるように各ダイヤルボタン及び前記予め定められた複数のボタンに割り付けられた第２の文字入力手段と、前記文字入力設定手段が文字入力が可能に設定されたことを第２の送受信手段で受信すると、前記第２の文字入力手段から入力されたかな文字及び数字に対す予め定められた第２のコードを生成する第２のコード生成手段と、この第２のコード信号生成手段で生成された前記第２のコードの無線信号の発信及び前記親機との無線信号の送受信を行う前記第２の送受信手段とを有している。
【００１６】
本発明のコードレス電話機のかな文字入力方法は、親機と、この親機と無線で接続された子機とからなるコードレス電話機において、前記親機の文字入力設定手段によって文字入力が可能に設定されると前記親機の第１の送受信手段を介して前記子機の第２の送受信手段に前記設定が通知されて前記子機も文字入力が可能となり、次に前記親機のあいうえお順の予め定められたかな文字入力が可能な第１の文字入力手段又は、及び前記第１の文字入力手段の入力可能文字以外のかな文字の入力が可能な前記子機の第２の文字入力手段からの文字入力によって、前記第１の文字入力手段で入力された文字に対しては前記親機の第１のコード生成手段で予め定められた第１のコードを生成し、前記第２の文字入力手段で入力された文字に対しては前記子機の第２のコード生成手段で予め定められて第２のコードを生成して前記第２の送受信手段で前記親機へ送信し、前記親機は前記第１のコード及び前記子機から受信した第２のコードからかな文字変換手段によってかな文字に変換し、この変換されたかな文字を表示手段によって表示する。
【００１８】
【発明の実施の形態】
次に、本発明について図面を参照して説明する。
【００１９】
図１は本発明の第１の実施の形態のコードレス電話機を示し、（ａ）はその親機を示すブロック図、（ｂ）はその子機を示すブロック図、図２は本第１の実施の形態のコードレス電話機の操作部を示し、（ａ）はその親機操作部のボタン配置を示す図、（ｂ）はその子機操作部のボタン配置を示す図である。
【００２０】
図１において、本第１の実施の形態のコードレス電話機は、親機１と子機２とからなり、親機１は、画面表示を行う表示部１１と、親機１のボタン操作を行う親機操作部１３と、親機操作部１３で入力されたボタンに割り当てられている数字及び文字に対応する予め設定された文字コードを生成する親機コード生成部１４と、後述の子機コード生成部２３で生成されて親機１に無線で通知された数字及びアルファベットの文字コード及び親機コード生成部１４からの数字及びアルファベットの文字コードを解析して実際の文字（ひらがな）に変換する親機コード解析部１５と、子機２との無線制御を行う親機無線部１２と、親機１全体を制御する親機制御部１６とで構成されている。また子機２は、子機２のボタン操作を行う子機操作部２４と、子機操作部２４で入力されたボタンに割り当てられている数字及び文字に対応するあらかじめ規定された文字コードを生成する子機コード生成部２３と、親機１との無線制御を行う子機無線部２１と、子機２全体を制御する子機制御部２２とで構成されている。
【００２１】
次に本第１の実施の形態のコードレス電話機の文字入力の基本的な動作において図１を参照して説明する。
【００２２】
例えば、利用者がＥメール等の文章等を作成する場合、親機操作部１３で予め定められた文字入力の開始を入力すると、親機制御部１６は、親機無線部１２を介して無線信号にて子機２に文字入力の開始を通知をする。子機２では子機無線部２１にて親機１からの文字入力の開始信号を受信すると、子機制御部２２は文字入力動作に移行する。文字入力動作になり、子機操作部２４にて文字が入力された場合は、子機制御部２２は子機無線部２１を介して無線信号にて親機１に入力されたボタンのコード信号を通知する。本第１の実施の形態のコードレス電話機では親機１と子機２の間で無線信号を使用して動作指示（コマンド）および入力された文字を示す文字コードの送受信を行うが、無線信号としてはアナログコードレス電話機の通話チャネルを使用する。
【００２３】
アナログコードレス電話機ではまず制御チャネルで親機１と子機２を接続し、次に通話チャネルに移行して通話状態となる。この通話状態において例えば子機２から親機１に文字コードを送信する場合、文字コードを子機無線部２１にて音声信号に変換して送信する。親機無線部１２にて子機２から送信された音声信号を文字コードに変換して子機で入力された文字コードを認識する。親機１にて親機無線部１２で子機２から通知された文字コードを受信した場合に、親機制御部１６はその文字コードを親機コード解析部１５に通知して対応する文字を検索し、表示部１１に表示する。
【００２４】
図２の（ａ）、（ｂ）において、本第１の実施の形態のコードレス電話機においては、ローマ字からひらがな変換ができるように、親機操作部１３には、「１」〜「０」、「＊」、「＃」のダイヤル用ボタンにアルファベット「Ａ」〜「Ｌ」が割り付けられ、その他に「Ｍ」、「Ｎ」と数字入力切替え用ボタンと、ひらがな変換をしないことを指定する無変換ボタンとを有している。
【００２５】
また、子機操作部２４には、「１」〜「０」、「＊」、「＃」のダイヤル用ボタンにアルファベット「Ｏ」〜「Ｚ」が割付けられ、その他に数字入力切替用ボタンと、ひらがな変換をしないことを指定する無変換ボタンとを有している。
【００２６】
図３は、本第１の実施の形態のコードレス電話機における親機操作部及び子機操作部から入力する数字及びアルファベット文字に対するコードを示す図である。
【００２７】
図１、図２、図３において、本第１の実施の形態のコードレス電話機においては、親機操作部１３のダイヤルボタンのところにアルファベット「Ａ」〜「Ｌ」のボタンが配置され、その他の所に「Ｍ」、「Ｎ」のボタンが配置されている。また、子機操作部２４のダイヤルボタンのところにはアルファベット「０」〜「Ｚ」のボタンが配置されている。
【００２８】
親機コード生成部１４では、親機操作部１３の「Ａ」〜「Ｎ」のボタンの押下によって、図３に示すコード「０１」〜「１４」が出力される。また、子機コード生成部２３では、子機操作部２４の「Ｏ」〜「Ｚ」のボタンの押下によって、図３に示すコード「１５」〜「２６」が出力される。
【００２９】
親機コード解析部１５は、親機制御部１６が親機コード生成部１４から受信したコード及び子機２から受信したコードを受信して、図３に示したコードから逆に、「Ａ」〜「Ｚ」又は数字「１」〜「０」に変換して親機制御部１６へ通知する機能を有している。
【００３０】
図４は本第１の実施の形態コードレス電話機におけるローマ字入力の手順の一例を示すフローチャート、図５は図４に示すローマ字入力の場合の入力シーケンスを示し、（ａ）はそのシーケンス図、（ｂ）は親機の表示部に表示されたローマ字から変換されたひらがな文字の表示例を示す図である。
【００３１】
次に、本第１の実施の形態のコードレス電話機におけるローマ字ひらがな変換による文字入力の方法について、図１から図５を参照して説明する。
【００３２】
まず、例えば、「おはよう」をローマ字変換によって入力する場合のボタン操作について図４を参照して説明する。
【００３３】
本第１の実施の形態においては、図２の（ａ）、（ｂ）に示されるように、ダイヤルボタンのところにアルファベットの各文字が割付けられてローマ字入力を行う。
【００３４】
まず子機２の子機操作部２４の「Ｏ」が割り付けられたボタンを押下する（Ｓ３０１）。この操作で「お」が入力されたことになる。次に親機１の親機操作部１３で「Ｈ」、「Ａ」が割り付けられたボタンを押下する（Ｓ３０２、３０３）。この操作で「は」が入力されたことになる。次に子機操作部２４で「Ｙ」、「Ｏ」が割り付けられたボタンを押下する（Ｓ３０４、３０５）。この操作で「よ」が入力されたことになる。最後に子機操作部２４で「Ｕ」が割付けられたボタンを押下する（Ｓ３０６）。この操作で「う」が入力されたことになる。以上のように合計６回のボタン押下で「おはよう」が入力される。
【００３５】
次に、例えば、「おはよう」をローマ字変換によって入力する場合の動作シーケンスについて説明する。
【００３６】
まず、親機１の親機操作部１３内の予め定められたボタン（図示省略）の押下によって、文字入力の開始を設定して、親機制御部１６の制御の基に、親機無線部１２を介して子機２に文字入力開始要求（Ｓ４０１）を無線で通知する。子機２では親機１からの文字入力開始要求（Ｓ４０１）を子機無線部２１で受信して子機制御部２２は文字入力状態へ移行するとともに親機１に対して文字入力開始（Ｓ４０２）を子機無線部２１で通知する。
【００３７】
次に、子機操作部１４で「Ｏ」が割付けられたボタンが押下されると（Ｓ４０３）子機コード生成部２３で「Ｏ」のコードが生成され、子機２から親機１に「Ｏ」が入力されたことを示す文字コード１５（Ｓ４０４）が通知される。親機１では子機２からの文字コード１５の通知を親機無線部１２で受信すると（Ｓ４０４）、文字コード１５が「Ｏ」であることを親機コード解析部１５で認識し、表示部１１に「お」を表示する。次に、親機操作部１３にて「Ｈ」が割付けられたボタンが押下された場合（Ｓ４０５）、および「Ａ」割り付けられたボタンが押下された場合（Ｓ４０６）は、親機コード生成部１４で「Ｈ」、「Ａ」のコード生成され、このコードを受信した親機制御部１６は親機コード解析部１５で「Ｈ」、「Ａ」を認識した上、表示部に「おは」が表示される。
【００３８】
次に、子機操作部２４で「Ｙ」が割り付けられたボタンが押下される（Ｓ４０７）と子機無線部２１から文字コード２５（「Ｙ」入力）（Ｓ４０８）が親機無線部１２に通知され、以下、同様に子機操作部２４での「Ｏ」が割り付けられたボタンが押下される（Ｓ４０９）と文字コード１５（「Ｏ」入力）（Ｓ４１０）、「Ｕ」が割り付けられたボタンが押下される（Ｓ４１１）と文字コード２１（「Ｕ」入力）（Ｓ４１２）が子機無線部２１から親機無線部１２に無線で通知される。親機制御部１６では子機２から通知された文字コードを順次親機コード解析部１５で解析するとともに変換されたひらがなを表示部１１に表示する。
【００３９】
以上、子機操作部２４及び親機操作部１３からのアルファベットの入力によって、親機コード解析部１５の解析の結果、表示部１１に「おはよう」が表示される。
【００４０】
次に、本発明の第２の実施の形態のコードレス電話機とその文字入力方法について図面を参照して説明する。
【００４１】
図６は本発明の第２の実施の形態のコードレス電話機を示し、（ａ）はその親機を示すブロック図、（ｂ）はその子機を示すブロック図、図７は本第２の実施の形態のコードレス電話機の操作部を示し、（ａ）はその親機操作部のボタン配置を示す図、（ｂ）はその子機操作部のボタン配置を示す図、図８は本第２の実施の形態のコードレス電話機における入力する数字及びひらがな文字に対するコードを示す図である。
【００４２】
図６、図７、図８において、本第２の実施の形態のコードレス電話機は、図１に示す第１の実施の形態のコードレス電話機とほぼ同じ機能を有しているが、次の点において、相違している。
【００４３】
親機操作部１３ａは、図７（ａ）に示すように、ダイヤルボタンに２０個のボタンを追加し、「あ」、「い」、「う」、「え」、「お」から「は」、「ひ」、「ふ」、「へ」、「ほ」まで、母音が縦軸に統一してマトリクス状にボタンを配置している。子機操作部２４ａは、図７（ｂ）に示すように、ダイヤルボタンに３個のボタンを追加して「ま行」、「や行」、「ら行」が入力できるボタン配置と、「わ」、「を」、「ん」を入力できる３個のボタンを配置している。
【００４４】
尚、数字又はダイヤルをするための切替用ボタン及び小文字指定用のボタンが、親機操作部１３ａ及び子機操作部２４ａに配置されている。
【００４５】
親機コード生成部１４ａでは、親機操作部１３ａの「あ」〜「ほ」のボタン押下によって図８に示すコード「０１」〜「３０」が生成される。また子機コード生成部２３ａでは、子機操作部２４ａの「ま」〜「ん」のボタン押下によって、図８に示すコード「３１」〜「４６」が出力される。
【００４６】
親機コード解析部１５ａは、親機制御部１６ａが親機コード生成部１４ａから受信したコード及び子機２から受信したコードを受信して、図８に示したコードから逆にひらかな「あ」〜「ん」、数字「１」〜「０」に変換して親機制御部１６ａへ通知する機能を有している。
【００４７】
尚、第２の実施の形態のコードレス電話機においては、第１の実施の形態のコードレス電話機における表示部１１，親機無線部１２を親機１ａに有し、子機２ａには子機無線部２１及び子機制御部２２ａを有している。
【００４８】
本第２の実施の形態のコードレス電話機は、第１の実施の形態のコードレス電話機と同様に、親機１ａ及び子機２ａを同時に用いて、文字入力を行うことができるが、第１の実施の形態と異なる点は、ローマ字から変換の処理がなく、ボタン押下したそのボタンに割り付けられた文字を直接入力することができる。
【００４９】
【発明の効果】
以上説明したように本発明は、親機と、この親機と無線で接続された子機とからなるコードレス電話機において、親機の文字入力設定手段によって文字入力が可能に設定されると親機の第１の送受信手段を介して子機の第２の送受信手段に設定が通知されて子機も文字入力が可能となり、次に、親機の予め定められた順の予め定められた英語のアルファベット及びかな文字を含む文字群の入力が可能な第１の文字入力手段又は、及び第１の文字入力手段で予め定められた文字群の残された文字の入力が可能な子機の第２の文字入力手段から文字入力によって、第１の文字入力手段で入力された文字に対しては親機の第１のコード生成手段で予め定められた第１のコードを生成し、第２の文字入力手段で入力された文字に対しては子機の第２のコード生成手段で予め定められた第２のコードを生成して前記第２の送受信手段で親機へ送信し、親機は第１のコード及び子機から受信した第２のコードからかな文字変換手段によってかな文字に変換し、この変換されたかな文字を表示手段によって表示することにより、従来より、ボタンの操作回数を少なくしてかな文字入力をすることができる効果がある。
【００５０】
また、子機のボタンを同時に使用できるので、親機のボタン数を少なくすることができる効果がある。
【図面の簡単な説明】
【図１】本発明の第１の実施の形態のコードレス電話機を示し、（ａ）はその親機を示すブロック図、（ｂ）はその子機を示すブロック図である。
【図２】本第１の実施の形態のコードレス電話機の操作部を示し、（ａ）はその親機操作部のボタン配置を示す図、（ｂ）はその子機操作部のボタン配置を示す図である。
【図３】本第１の実施の形態のコードレス電話機における入力する数字及びアルファベット文字に対するコードを示す図である。
【図４】本第１の実施の形態のコードレス電話機におけるローマ字入力の手順一例を示すフローチャートである。
【図５】図４に示すローマ字入力の場合の入力のシーケンスを示し（ａ）はそのシーケンス図、（ｂ）は（ａ）のシーケンスに基づいて親機の表示部に表示されたローマ字から変換されたひらかな文字の表示例を示す図である。
【図６】本発明の第２の実施の形態のコードレス電話機を示し、（ａ）はその親機を示すブロック図、（ｂ）はその子機を示すブロック図である。
【図７】本第２の実施の形態のコードレス電話機の操作部を示し、（ａ）はその親機操作部のボタン配置を示す図、（ｂ）はその子機操作部のボタン配置を示す図である。
【図８】本第２の実施の形態のコードレス電話機における入力する数字及びひらかな文字に対するコードを示す図である。
【図９】従来のコードレス電話機の一例を示し、（ａ）はその親機を示すブロック図、（ｂ）はその子機を示すブロック図である。
【図１０】図９に示す従来の子機のＲＯＭに記憶されているカタカナ文字の二次元マトリクス状に記憶されている状態を示す模式図である。
【図１１】図９に示す従来のコードレス電話機のキー配置を示す図である。
【符号の説明】
１，１ａ    親機
２，２ａ    子機
１１    表示部
１２    親機無線部
１３，１３ａ    親機操作部
１４，１４ａ    親機コード生成部
１５，１５ａ    親機コード解析部
１６，１６ａ    親機制御部
２１    子機無線部
２２，２２ａ    子機制御部
２３，２３ａ    子機コード生成部
２４，２４ａ    子機操作部
【図１】
0003730894.tif 000002
【図２】
0003730894.tif 000003
【図３】
0003730894.tif 000004
【図４】
0003730894.tif 000005
【図５】
0003730894.tif 000006
【図６】
0003730894.tif 000007
【図７】
0003730894.tif 000008
【図８】
0003730894.tif 000009
【図９】
0003730894.tif 000010
【図１０】
0003730894.tif 000011
【図１１】
0003730894.tif 000012